(57)【要約】【課題】クロスの貼り付け作業を容易に行なうことができる取付けの簡単な手摺ブラケットを提供することである。【解決手段】固定片２の下端にフック片３が設けられた位置決めフック１を壁面Ｗにねじ止めする。ブラケット本体１１に設けられた座板１４を、上記固定片２の全体を隠蔽可能な大きさとする。座板１４の壁面Ｗに対向する背面に係合凹部１８を形成し、かつ、座板１４の外周下部に係合溝１９を設ける。位置決めフック１の上方にブラケット本体１１を配置し、そのブラケット本体１１の落とし込みにより、固定片２を係合凹部１８に係合させ、かつ、係合溝１９にフック片３の下部を係合させ、さらに、フック片３を座板１４の前面下部に係合させ、ブラケット本体１１の掛け吊り支持状態において、座板１４を壁面Ｗにねじ止めする。【選択図】図１
2010270519.tif 000002
【特許請求の範囲】
【請求項１】
壁面に取付けられる位置決めフックと、その位置決めフックに支持されるブラケット本体とから成り、前記位置決めフックが、壁面にねじ込まれるねじのねじ挿入孔が上部に形成された帯板状の固定片の下端に上向きのフック片が設けられた構成とされ、前記ブラケット本体が、手摺支持部を先端に有するアームと、そのアームの後端に設けられて壁面にねじ止めされる座板とからなり、前記座板は、固定片の全体を隠蔽可能な大きさとされ、その座板の壁面に対向する背面に位置決めフックの固定片の全体が嵌合可能な係合凹部を形成し、かつ、座板の外周下部に、フック片の下部に係合可能な係合溝を設けた手摺ブラケット。
【請求項２】
前記固定片の壁面と対向する背面の下部に先端が尖るピンを設けた請求項１に記載の手摺ブラケット。
【請求項３】
前記位置決めフックの固定片が係合凹部に係合し、フック片の下部が係合溝に係合し、フック片が座板の前面下部に係合するブラケット本体の掛け吊り状態で、座板の中心を固定片のねじ挿入孔に一致させるようした請求項１又は２に記載の手摺ブラケット。
【請求項４】
前記座板の外周に嵌合可能な周壁を外周部に有する樹脂製のカバーを、座板の正面側から座板の外側に着脱自在に取付けた請求項１乃至３のいずれかの項に記載の手摺ブラケット。
【発明の詳細な説明】
【技術分野】
【０００１】
この発明は、建物の廊下や階段等の壁面に手摺を取り付ける際に用いられる手摺ブラケットに関する。
【背景技術】
【０００２】
一般に、手摺の取り付けに際しては、壁面に手摺ブラケットを取付け、その手摺ブラケットで手摺を支持して、手摺ブラケットにねじ止めすることが行なわれている。
【０００３】
ここで、手摺を支持するブラケットは、座板を有し、その座板を壁面にねじ止めすることによってブラケットを固定することが行なわれる。その際、ブラケットの取付け位置を決定するため、壁面には墨出しが行なわれる。
【０００４】
ところで、壁面にクロスが貼り付けられる場合、そのクロスの表面に墨出しを行なうと、墨出しが残り、体裁が悪くなる。また、クロスの貼り付け前に壁面に墨出しを行なうと、クロスの貼り付けにより、墨出しが隠蔽され、ブラケットの取付け位置を認識することができない。
【０００５】
そこで、クロス貼りの壁面においては、特許文献１に記載されているように、壁面にねじ止めされるベースと、そのベースに取付けられるブラケット本体とからなる手摺ブラケットを採用して、手摺を取り付けることが多くなってきている。
【０００６】
上記のような手摺ブラケットの取付けに際しては、壁面に墨出しを行って手摺ブラケットの取付け位置を決め、その取付け位置にベースをねじ止めした後、クロスの貼り付けを行い、その貼り付け時にクロスにくり抜き孔を形成してベースを露出させ、クロスの貼り付け後、ブラケット本体に設けられた座板をベースに嵌合してねじ止めするようにしている。
【先行技術文献】
【特許文献】
【０００７】
【特許文献１】特開２００３−３１４０２０号公報
【発明の概要】
【発明が解決しようとする課題】
【０００８】
ところで、上記特許文献１に記載された手摺ブラケットにおいては、ベースとブラケット本体に設けられた座板の径差が小さいため、クロスに形成されたくり抜き孔が必要以上に大きくなると、座板によってくり抜き孔を隠蔽することができなくなって、くり抜き孔の一部が露出する体裁の悪い状態が生じることになる。
【０００９】
このため、くり抜き孔の形成に際しては、ベースがほぼぴったりと嵌り合う精度の高い孔あけ作業が必要となり、クロスの貼り付けに非常に手間が係るという問題があった。
【００１０】
この発明の課題は、クロスの貼り付け作業を容易に行なうことができる取付けの簡単な手摺ブラケットを提供することである。
【課題を解決するための手段】
【００１１】
上記の課題を解決するため、この発明においては、壁面に取付けられる位置決めフックと、その位置決めフックに支持されるブラケット本体とから成り、前記位置決めフックが、壁面にねじ込まれるねじのねじ挿入孔が上部に形成された帯板状の固定片の下端に上向きのフック片が設けられた構成とされ、前記ブラケット本体が、手摺支持部を先端に有するアームと、そのアームの後端に設けられて壁面にねじ止めされる座板とからなり、前記座板は、固定片の全体を隠蔽可能な大きさとされ、その座板の壁面に対向する背面に位置決めフックの固定片の全体が嵌合可能な係合凹部を形成し、かつ、座板の外周下部に、フック片の下部に係合可能な係合溝を設けた構成を採用したのである。
【００１２】
上記の構成からなる手摺ブラケットの取付けに際しては、壁面に墨出しを行なってブラケットの取付け位置を決定し、そのブラケットの取付け位置に位置決めフックの固定片に設けたねじ挿入孔を一致させ、そのねじ挿入孔に挿入するねじの壁面へのねじ込みによって位置決めフックを固定する。
【００１３】
このとき、固定片の壁面に対向する背面の下部に先端が尖るピンを突設させておくことにより、そのピンの壁面への打ち込みよって位置決めフックを壁面に仮止めすることができるため、位置決めフックのねじ止めに、その位置決めフックを保持する必要がなくなり、位置決めフックを容易にねじ止めすることができる。
【００１４】
位置決めフックの固定後、クロスの貼り付けを行い、その貼り付け作業時に、位置決めフックと対向する位置にくり抜き孔を形成して、位置決めフックを外部に露出させる。
【００１５】
そして、クロスの貼り付け後、位置決めフック上にブラケット本体の座板を配置して落とし込む。その落とし込みにより、係合凹部内に位置決めフックの固定片が嵌合し、係合溝にフック片の下部が係合し、さらに、フック片が座板の前面下部に係合して、ブラケット本体が位置決めフックに掛け吊り支持される。その支持状態において、座板を壁面にねじ止めする。
【００１６】
上記のように、ブラケット本体が位置決めフックに支持される状態では、座板の係合凹部に固定片が係合し、かつ、係合溝にフック片の下部が係合し、さらに、フック片が座板の前面下部に係合するため、ブラケット本体は位置決めフックによってがたつきのない状態に掛け吊り支持されることになる。
【００１７】
このため、ブラケット本体から手を離す状態で座板を壁面にねじ止めすることができ、ブラケット本体を簡単にねじ止めすることができる。
【００１８】
また、座板は位置決めフックの全体を隠蔽することができる大きさであるため、クロスに形成するくり抜き孔は、位置決めフックとの間に比較的大きな余裕をもつ大きさの孔とすることができる。このため、くり抜き孔の形成に神経を使うことが少なくなり、クロスの貼り付けを容易に行なうことができる。
【００１９】
ここで、座板の外周に嵌合可能な周壁を外周部に有する樹脂製のカバーを、座板の正面側から座板の外側に着脱自在に取付けることにより、クロスに形成するくり抜き孔をさらに余裕をもつ大きさの孔とすることができる。
【００２０】
この発明に係る手摺ブラケットにおいて、位置決めフックに対するブラケット本体の掛け吊り状態において、固定片に形成されたねじ挿入孔の中心と座板の中心とにずれがあると、壁面に対する墨出し作業時に、その中心のずれを見込んで墨出しを行なう必要があり、墨出しに非常に手間がかかる。
【００２１】
そこで、位置決めフックの固定片が係合凹部に係合し、フック片の下部が係合溝に係合し、フック片が座板の前面下部に係合するブラケット本体の掛け吊り状態で、座板の中心を固定片のねじ挿入孔に一致させるようしておくと、座板は、その中心が墨出しされたブラケット取付け位置に一致する取付けとされ、墨出し作業の容易化を図ることができる。
【発明の効果】
【００２２】
上記のように、この発明においては、位置決めフックを壁面に固定し、その位置決めフック上から座板を落とし込むことにより、ブラケット本体の座板に形成された係合凹部が固定片に係合すると共に、係合溝がフック片の下部に係合し、さらに、フック片が座板の前面下部に係合するため、位置決めフックによってブラケット本体を安定よく支持することができる。このため、座板のねじ止めにブラケット本体を手で保持する必要がなくなり、壁面にブラケット本体を簡単にねじ止めすることができる。
【００２３】
また、クロスに形成するくり抜き孔は、位置決めフックとの間で大きな余裕をもつ大きさの孔とすることができるため、くり抜き孔の形成に注意を要することが少なくなり、クロス貼付けの作業性を向上させることができる。
【図面の簡単な説明】
【００２４】
【図１】この発明に係る手摺ブラケットの使用状態を示す一部切欠側面図
【図２】図１のII−II線に沿った断面図
【図３】この発明に係る手摺ブラケットの分解斜視図
【図４】壁面に位置決めフックを固定した状態の斜視図
【図５】クロスにくり抜き孔を形成した状態の斜視図
【図６】ブラケット本体の固定状態を示す斜視図
【発明を実施するための形態】
【００２５】
以下、この発明の実施の形態を図面に基づいて説明する。図１乃至図３に示すように、この発明に係る手摺ブラケットは、壁面Ｗに取付けられる位置決めフック１と、その位置決めフック１に支持されるブラケット本体１１と、カバー２１とから成る。
【００２６】
位置決めフック１は、帯板状の固定片２の下端に上向きのフック片３を設けた構成とされ、上記固定片２の上部にはねじ挿入孔４が形成されている。また、固定片２の背面下部には高さの低い先端が尖るピン５が設けられている。
【００２７】
一方、ブラケット本体１１は、上向きに湾曲するアーム１２を有し、そのアーム１２の先端に丸棒状の手摺Ａを支持する手摺支持部としての支持板１３を設け、かつ、アーム１２の後端に座板１４を設けた構成とされている。
【００２８】
支持板１３は、手摺Ａの外周下部に沿う断面円弧状とされ、その支持板１３の長さ方向の両端部にはねじ挿入孔１５が形成されている。
【００２９】
座板１４は円形をなし、その座板１４の半径は、位置決めフック１の固定片２に形成されたねじ挿入孔４の中心と固定片２の下面に至る長さを少し超える寸法とされており、上記固定片２に形成されたねじ挿入孔４の中心と座板１４の中心を一致させた状態において、固定片２は、その全体が座板１４で隠蔽されるようになっている。
【００３０】
座板１４は、複数の放射状の突出部１４ａを前面に有し、隣接する突出部１４ａ間に前面から背面に貫通する複数のねじ挿入孔１６が形成されている。また、座板１４の背面外周部には環状の凹段部１７が設けられている。さらに、座板１４には、その背面に固定片２の全体が嵌合可能の係合凹部１８と、外周下部にフック片３の下部が係合可能な係合溝１９が形成されている。
【００３１】
ここで、位置決めフック１の固定片２を係合凹部１８に係合し、係合溝１９にフック片３の下部を係合させると、座板１４の中心が固定片２に形成されたねじ挿入孔４の中心と一致するようになっており、また、フック片３は座板１４の前面下部に係合するようになっている。
【００３２】
カバー２１は、円板部２２の外周に円筒状の周壁２３を設けた柔軟な合成樹脂の成形品からなり、上記円板部２２には、アーム１２の座板１４に対する付け根に対して嵌合可能な嵌合孔２４と、外周上部からその嵌合孔２４に至るスロット２５が形成され、上記スロット２５は座板１４の前面に形成された突出部１４ａの一つに対して嵌合可能とされている。
【００３３】
また、周壁２３の開口端部の内周には複数の係合爪２６が形成され、その係合爪２６は座板１４の凹段部１７に係合可能とされている。
【００３４】
実施の形態で示す手摺ブラケットは上記の構造からなり、クロスが貼り付けられる壁面Ｗへの手摺Ａの取付けに際しては、図４に示すように、縦線ａおよび横線ｂの墨出しを行なって、手摺ブラケットの取付け位置を決定し、その取付け位置に位置決めフック１のねじ挿入孔４の中心を一致させ、その位置決めフック１を軽く叩打して、壁面Ｗに対するピン５の打ち付けにより、位置決めフック１を仮止めする。
【００３５】
位置決めフック１の仮止め後、ねじ挿入孔４に挿入したねじＳ１の壁面Ｗへのねじ込みにより位置決めフック１を固定する。このとき、位置決めフック１は、壁面Ｗに対するピン５の打ち付けによって仮止めされているため、位置決めフック１を保持する必要がなく、位置決めフック１を簡単に固定することができる。
【００３６】
位置決めフック１の固定後、クロスＣの貼り付けを行い、その貼り付け作業時に、位置決めフック１と対向する位置に、図５に示すように、くり抜き孔３０を形成して、位置決めフック１を外部に露出させる。
【００３７】
そして、クロスＣの貼り付け後、位置決めフック１上にブラケット本体１１の座板１４を配置し、ブラケット本体１１を落とし込む。その落とし込みにより、係合凹部１８内に位置決めフック１の固定片２が嵌合し、係合溝１９にフック片３の下部が係合する。また、フック片３が座板１４の前面下部に係合し、ブラケット本体１１が位置決めフック１に掛け吊り支持される。また、クロスＣに形成されたくり抜き孔３０は座板１４により隠蔽される。
【００３８】
ブラケット本体１１の掛け吊り支持後、座板１４に形成されたねじ挿入孔１６に、図３に示すねじＳ２を挿入し、そのねじＳ２を壁面Ｗにねじ込んで、ブラケット本体１１を固定する。
【００３９】
このとき、ブラケット本体１１は、係合凹部１８に対する固定片２の係合、係合溝１９に対するフック片３の下部の係合、および、座板１４の前面下部に対するフック片３の係合によってがたつきのない状態に掛け吊り支持されているため、ブラケット本体１１から手を離す状態で座板１４を壁面Ｗにねじ止めすることができる。このため、ブラケット本体１１を簡単にねじ止めすることができる。
【００４０】
ブラケット本体１１の固定後、座板１４の外周にカバー２１の周壁２３を嵌合し、凹段部１７に対する係合爪２６の係合により、カバー２１を嵌合状態に保持する。また、図６に示すように、支持板１３上に手摺Ａを載置し、支持板１３の下方からねじ挿入孔１５に挿入されるねじＳ３の手摺Ａへのねじ込みにより、手摺Ａを固定する。
【００４１】
上記のような手摺Ａの取付け作業において、位置決めフック１に対するブラケット本体１１の掛け吊り状態で、固定片２に形成されたねじ挿入孔４の中心と座板１４の中心とにずれがあると、壁面Ｗに対する墨出し作業時に、その中心のずれを見込んで墨出しを行なう必要があり、墨出しに非常に手間がかかることになる。
【００４２】
しかし、ブラケット本体１１の掛け吊り状態で、座板１４の中心は固定片２のねじ挿入孔４に一致する設計とされているため、座板１４は、その中心が墨出しされたブラケット取付け位置に一致する取付けとされることになり、墨出し作業を容易に行なうことができる。
【００４３】
また、座板１４は、位置決めフック１のねじ挿入孔４の中心からフック片３の下面までの長さを少し超える寸法を半径とする円板状であるため、クロスＣに形成するくり抜き孔３０は、位置決めフック１との間に比較的大きな余裕をもつ大きさの孔とすることができる。このため、くり抜き孔３０の形成に神経を使うことが少なくなり、クロスの貼り付けを容易に行なうことができる。
【符号の説明】
【００４４】
Ａ    手摺
Ｗ    壁面
１    位置決めフック
２    固定片
３    フック片
４    ねじ挿入孔
１１  ブラケット本体
１２  アーム
１３  支持板
１４  座板
１８  係合凹部
１９  係合溝
２１  カバー
２３  周壁
【図１】
2010270519.tif 000003
【図２】
2010270519.tif 000004
【図３】
2010270519.tif 000005
【図４】
2010270519.tif 000006
【図５】
2010270519.tif 000007
【図６】
2010270519.tif 000008